(57)【要約】【課題】天板付きの家具の天板上方空間を仕切るためのパネルを備えるスクリーン装置において、パネルを天板に取り付ける作業を簡素化する。【解決手段】天板上方空間を仕切るためのパネル１０と、パネル１０を天板に取り付けるための取付具２０と、を備えるスクリーン装置１である。取付具２０は、パネル１０の辺１０ａに取り付けられる上方部２１と、上方部２１とともに天板を挟む下方部２２と、を有する。下方部２２の端部２２ａには、回転軸３０ａを中心に回転する筒状部３０が取り付けられている。筒状部３０は、回転軸３０ａから第一の距離をおいて形成された第一周面部３１と、回転軸３０ａから第一の距離よりも長い第二の距離をおいて形成された第二周面部３２と、を有し、第二周面部３２は第一周面部３１と連続している。筒状部３０には、ユーザによって把持される把持部４０が取り付けられている。【選択図】図６
2019083891.tif 000002
【特許請求の範囲】
【請求項１】
天板を有する家具の天板上方空間を仕切るためのパネルと、前記パネルを前記天板に取り付けるための取付具と、を備えるスクリーン装置であって、
前記パネルは、前記天板の上面に平行に延在する辺を有し、
前記取付具は、前記パネルの前記辺に対して所定間隔をおいて配置されるように前記辺に接続されるアーム部を有し、
上方部としての前記辺及び下方部としての前記アーム部で前記天板の縁部付近を上下から挟んだときに、前記アーム部は、前記天板の縁部側から内部側へと向かう第一の方向に所定長延在するように構成され、前記アーム部の天板内部側の端部には、所定の回転軸を中心に回転する筒状部が取り付けられており、
前記筒状部は、前記回転軸から第一の距離をおいて形成された第一周面部と、前記回転軸から前記第一の距離よりも長い第二の距離をおいて形成された第二周面部と、を有し、前記第二周面部は前記第一周面部と連続しており、
前記筒状部には、ユーザによって把持される把持部が取り付けられている、スクリーン装置。
【請求項２】
前記第一周面部及び前記第二周面部は、ともに平坦面を有しており、所定の角度をなす角部を形成するように連接されている、請求項１に記載のスクリーン装置。
【請求項３】
天板を有する家具の天板上方空間を仕切るためのパネルと、前記パネルを前記天板に取り付けるための取付具と、を備えるスクリーン装置であって、
前記パネルは、前記天板の上面に平行に延在する辺を有し、
前記取付具は、前記パネルの前記辺に取り付けられる上方部と、前記上方部に対して所定間隔をおいて配置されるように前記上方部に接続される下方部と、を有し、
前記上方部及び前記下方部で前記天板の縁部付近を上下から挟んだときに、前記下方部は、前記天板の縁部側から内部側へと向かう方向に所定長延在するように構成され、前記下方部の天板内部側の端部には、所定の回転軸を中心に回転する筒状部が取り付けられており、
前記筒状部は、前記回転軸からの距離が段階的に変化する複数の周面部を有し、
前記筒状部には、ユーザによって把持される把持部が取り付けられている、スクリーン装置。
【請求項４】
天板を有する家具の天板上方空間を仕切るためのパネルと、前記パネルを前記天板に取り付けるための取付具と、を備えるスクリーン装置であって、
前記パネルは、前記天板の上面に平行に延在する辺を有し、
前記取付具は、前記パネルの前記辺に取り付けられる上方部と、前記上方部に対して所定間隔をおいて配置されるように前記上方部に接続される下方部と、を有し、
前記上方部及び前記下方部で前記天板の縁部付近を上下から挟んだときに、前記下方部は、前記天板の縁部側から内部側へと向かう方向に所定長延在するように構成され、前記下方部の天板内部側の端部には、所定の回転軸を中心に回転する筒状部が取り付けられており、
前記筒状部は、前記回転軸からの距離が連続的に変化する周面部を有し、
前記筒状部には、ユーザによって把持される把持部が取り付けられている、スクリーン装置。
【請求項５】
前記上方部及び前記下方部で前記天板の縁部付近を上下から挟んだときに、前記上方部は、前記第一の方向に沿って所定長延在するように構成され、前記筒状部の前記第二周面部及び前記回転軸は、前記第一の方向に交差する第二の方向に沿って所定長延在するように構成される、請求項１から４の何れか一項に記載のスクリーン装置。
【発明の詳細な説明】
【技術分野】
【０００１】
本発明は、スクリーン装置に関する。
【背景技術】
【０００２】
現在、天板付きの家具（勉強机やダイニングテーブル）の天板上方空間を仕切るためのパネルを備えるスクリーン装置が種々提案されている。例えば、近年においては、パネルの側面に調整穴を設け、板状ナットとネジとを用いてアーム型緊締金具をパネルの側面に取り付け、アーム型緊締金具のアーム部分を天板の縁部に引っ掛けることにより、パネルを天板に対して起立させた状態で取り付けることを可能にしたスクリーン装置が提案されている（例えば、特許文献１参照）。かかる技術を採用すると、天板に対するパネルの取り外しを容易に行うことができる、とされている。
【先行技術文献】
【特許文献】
【０００３】
【特許文献１】実用新案登録第３１５８５３４号公報
【発明の概要】
【発明が解決しようとする課題】
【０００４】
しかし、特許文献１に記載されたような従来のスクリーン装置を採用すると、ネジ等を用いてパネルの側面にアーム型緊締金具を取り付ける必要があり、この際ドライバ等の工具を必要とする等、依然として煩雑な取付作業を要していた。また、パネルとは別に板状ナットやアーム型緊締金具の複数の部品を調製する必要があり、保管や運搬の際にこのような部品を一つでも紛失すると使用できなくなるという問題があった。
【０００５】
本発明は、かかる事情に鑑みてなされたものであり、天板付きの家具の天板上方空間を仕切るためのパネルを備えるスクリーン装置において、パネルを天板に取り付ける作業を簡素化することを目的とする。
【課題を解決するための手段】
【０００６】
前記目的を達成するため、本発明に係る第一のスクリーン装置は、天板を有する家具の天板上方空間を仕切るためのパネルと、パネルを天板に取り付けるための取付具と、を備えるものであって、パネルは、天板の上面に平行に延在する辺を有し、取付具は、パネルの当該辺に対して所定間隔をおいて配置されるように当該辺に接続されるアーム部を有し、上方部としての当該辺及び下方部としてのアーム部で天板の縁部付近を上下から挟んだときに、アーム部は、天板の縁部側から内部側へと向かう第一の方向に所定長延在するように構成され、アーム部の天板内部側の端部には、所定の回転軸を中心に回転する筒状部が取り付けられており、筒状部は、回転軸から第一の距離をおいて形成された第一周面部と、回転軸から第一の距離よりも長い第二の距離をおいて形成された第二周面部と、を有し、第二周面部は前記第一周面部と連続しており、筒状部には、ユーザによって把持される把持部が取り付けられているものである。
【０００７】
かかる構成を採用すると、パネルの辺（上方部）を天板の縁部付近の上面に当接させる一方、アーム部（下方部）の天板内部側の端部に取り付けられた筒状部の第一周面部を天板の縁部付近の下面に対向させた状態（すなわちパネルの辺と第一周面部とによって天板の縁部付近を上下から挟んだ状態）で、ユーザが把持部を把持して回転軸を中心に筒状部を回転させることにより、第二周面部を天板の下面に当接させて、天板の縁部付近をパネルの辺と第二周面部とにより上下から挟持することができる。筒状部の回転軸から第二周面部までの距離（第二の距離）は、回転軸から第一周面部までの距離（第一の距離）よりも長いため、パネルの辺と第二周面部の間に形成される間隙は、パネルの辺と第一周面部の間に形成される間隙よりも狭くなるからである。よって、ユーザによるきわめて簡易な操作（把持部を用いた筒状部の回転操作）により、取付具で天板の縁部付近を上下から挟持することができ、取付具に取り付けられたパネルを天板に対して固定することができる。
【０００８】
本発明に係る第一のスクリーン装置において、ともに平坦面を有する第一周面部及び第二周面部を採用することができる。かかる場合において、第一周面部と第二周面部とを、所定の角度をなす角部を形成するように連接することができる。
【０００９】
かかる構成を採用すると、第一周面部及び第二周面部はともに平坦面を有しており、これら周面部が所定の角度をなす角部を形成するように連接されているため、筒状部の回転により、天板の下面に第一周面部が接触する状態から、天板の下面に第二周面部が接触する状態に切り替わったことを、手触り（クリック感）で容易に認識することができる。
【００１０】
また、本発明に係る第二のスクリーン装置は、天板を有する家具の天板上方空間を仕切るためのパネルと、パネルを天板に取り付けるための取付具と、を備えるものであって、パネルは、天板の上面に平行に延在する辺を有し、取付具は、パネルの当該辺に取り付けられる上方部と、上方部に対して所定間隔をおいて配置されるように上方部に接続される下方部と、を有し、上方部及び下方部で天板の縁部付近を上下から挟んだときに、下方部は、天板の縁部側から内部側へと向かう方向に所定長延在するように構成され、下方部の天板内部側の端部には、所定の回転軸を中心に回転する筒状部が取り付けられており、筒状部は、回転軸からの距離が段階的に変化する複数の周面部を有し、筒状部には、ユーザによって把持される把持部が取り付けられているものである。
【００１１】
かかる構成を採用すると、上方部を天板の縁部付近の上面に当接させる一方、下方部を天板の縁部付近の下面に対向させた状態（すなわち上方部と下方部とによって天板の縁部付近を上下から挟んだ状態）で、ユーザが把持部を把持して回転軸を中心に筒状部を回転させることにより、天板の縁部付近を、上方部と、筒状部の特定の周面部と、により上下から挟持することができる。筒状部は、回転軸からの距離が段階的に変化する複数の周面部を有しているため、上方部と筒状部の周面部の間に形成される間隙を段階的に狭くし、筒状部の特定の周面部を天板の下面に当接させて、天板の縁部付近を上方部と当該周面部とにより上下から挟持することができる。よって、ユーザによるきわめて簡易な操作（把持部を用いた筒状部の回転操作）により、取付具で天板の縁部付近を上下から挟持することができ、取付具に取り付けられたパネルを天板に対して固定することができる。
【００１２】
また、本発明に係る第三のスクリーン装置は、天板を有する家具の天板上方空間を仕切るためのパネルと、パネルを天板に取り付けるための取付具と、を備えるものあって、パネルは、天板の上面に平行に延在する辺を有し、取付具は、パネルの当該辺に取り付けられる上方部と、上方部に対して所定間隔をおいて配置されるように上方部に接続される下方部と、を有し、上方部及び下方部で天板の縁部付近を上下から挟んだときに、下方部は、天板の縁部側から内部側へと向かう方向に所定長延在するように構成され、下方部の天板内部側の端部には、所定の回転軸を中心に回転する筒状部が取り付けられており、筒状部は、回転軸からの距離が連続的に変化する周面部を有し、筒状部には、ユーザによって把持される把持部が取り付けられているものである。
【００１３】
かかる構成を採用すると、上方部を天板の縁部付近の上面に当接させる一方、下方部を天板の縁部付近の下面に対向させた状態（すなわち上方部と下方部とによって天板の縁部付近を上下から挟んだ状態）で、ユーザが把持部を把持して回転軸を中心に筒状部を回転させることにより、天板の縁部付近を、上方部と、筒状部の周面部と、により上下から挟持することができる。筒状部は、回転軸からの距離が連続的に変化する周面部を有しているため、上方部と筒状部の周面部の間に形成される間隙を徐々に狭くし、筒状部の周面部を天板の下面に当接させて、天板の縁部付近を上方部と周面部とにより上下から挟持することができる。よって、ユーザによるきわめて簡易な操作（把持部を用いた筒状部の回転操作）により、取付具で天板の縁部付近を上下から挟持することができ、取付具に取り付けられたパネルを天板に対して固定することができる。
【００１４】
本発明に係る第一〜第三のスクリーン装置において、上方部及び下方部で天板の縁部付近を上下から挟んだときに、上方部を、第一の方向に沿って所定長延在するように構成し、筒状部の第二周面部及び回転軸を、第一の方向に交差する第二の方向に沿って所定長延在するように構成することができる。
【００１５】
かかる構成を採用すると、上方部及び下方部で天板の縁部付近を上下から挟んだときに、上方部は、天板の縁部側から内部側へと向かう第一の方向に沿って所定長延在するように構成されるため、パネルの縦揺れ（上下方向における回動）を抑制することができる。また、上方部及び下方部で天板の縁部付近を上下から挟んだときに、筒状部の第二周面部及び回転軸は、第一の方向に交差する（例えば第一の方向に直交する）第二の方向に沿って所定長延在するように構成されるため、パネルの横揺れ（左右方向における回動）を抑制することができる。
【発明の効果】
【００１６】
本発明によれば、天板付きの家具の天板上方空間を仕切るためのパネルを備えるスクリーン装置において、パネルを天板に取り付ける作業を簡素化することが可能となる。
【図面の簡単な説明】
【００１７】
【図１】本発明の実施形態に係るスクリーン装置の側面図である。
【図２】本発明の実施形態に係るスクリーン装置の平面図である。
【図３】本発明の実施形態に係るスクリーン装置の底面図である。
【図４】本発明の実施形態に係るスクリーン装置の正面図である。
【図５】本発明の実施形態に係るスクリーン装置の背面図である。
【図６】本発明の実施形態に係るスクリーン装置の取付具の拡大斜視図である。
【図７】本発明の実施形態に係るスクリーン装置の取付具の筒状部付近の拡大斜視図である。
【図８】本発明の実施形態に係るスクリーン装置をテーブルの天板に取り付ける前の状態を示す図である。
【図９】本発明の実施形態に係るスクリーン装置をテーブルの天板に取り付けた状態を示す図である。
【発明を実施するための形態】
【００１８】
以下、図面を参照して、本発明の実施形態について説明する。なお、以下の実施形態はあくまでも好適な適用例であって、本発明の適用範囲がこれに限定されるものではない。
【００１９】
まず、本発明の実施形態に係るスクリーン装置１の構成について説明する。本実施形態に係るスクリーン装置１は、天板を有する家具の天板上方空間を仕切るためのものであり、図１〜図５に示すように、パネル１０と、取付具２０と、を備えている。
【００２０】
本実施形態にスクリーン装置１が取り付けられる家具は、図８及び図９に示すような天板１１０を有するテーブル１００である。テーブル１００は、所定の厚さを有する天板１１０と、天板１１０の下面に固定された枠部１２０と、枠部１２０の内部に配置されて天板１１０の下面に取り付けられた脚部１３０と、を備えている。なお、本発明に係るスクリーン装置は、このようなテーブル１００にのみ取り付けられるものではなく、天板を有する他の家具（例えば勉強机）にも取り付けることができるものである。
【００２１】
パネル１０は、天板上方空間を仕切ることができるような面積を有しており、その面積は、取り付けられる天板１１０の大きさや使用目的等に応じて適宜設定することができる。本実施形態においては、図１に示すように、側面視略矩形状を呈するパネル１０を採用しており、天板１１０に取り付けられたときに天板１１０の上面に平行に延在する辺１０ａを有している。パネル１０の各辺の長さは、取り付けられる天板１１０の大きさや使用目的等に応じて適宜設定することができる。パネル１０の厚さは、後述する取付具２０に取り付けることができる程度の寸法であればよい。
【００２２】
本実施形態においては、所定径を有する断面円形状の管状部材を折り曲げて矩形環状の枠体１１を形成し、枠体１１の外側にカバー１２を被せることにより、パネル１０を構成している。カバー１２は、パネル１０をパーティションとして機能させるために、非透明な材料で構成することが好ましい。なお、このような枠体１１とカバー１２の組合せによってパネル１０を構成するだけでなく、金属や合成樹脂からなる側面視矩形状の板状部材をパネルとして使用することもできる。
【００２３】
取付具２０は、パネル１０を天板１１０に取り付けるためのものであり、図６及び図７に示すように、パネル１０の辺１０ａに取り付けられる角柱状の上方部２１と、上方部２１に対して所定間隔をおいて配置されるように上方部２１に接続される円柱状の下方部２２と、を有している。上方部２１及び下方部２２で天板１１０（図８参照）の縁部付近を上下から挟んだときに、下方部２２は、天板１１０の縁部側から内部側へと向かう第一の方向（図８におけるＸ軸方向）に所定長延在するように構成されている。
【００２４】
本実施形態における取付具２０の上方部２１及び下方部２２は、図６及び図７に示すように一体的に構成されている。すなわち、円柱状の下方部２２は、角柱状の上方部２２に一体的に連接された側面視略Ｌ字状部分の一部を構成しており、上方部２２及び略Ｌ字状部分によって側面視略コ字状の部材が形成されるようになっている。なお、上方部２１及び下方部２２はこのような一体的な構成に限定されるものではなく、別々に構成して接続してもよい。上方部２１及び下方部２２は、剛性を有する材料（例えば金属や合成樹脂）で構成することができる。
【００２５】
下方部２２の天板内部側の端部２２ａには、所定の回転軸３０ａ（図２〜図５参照）を中心に回転する筒状部３０が取り付けられている。筒状部３０は、図６及び図７に示すように、回転軸３０ａから第一の距離Ｌ1をおいて形成された第一周面部３１と、回転軸３０ａから第一の距離Ｌ1よりも長い第二の距離Ｌ2をおいて形成された第二周面部３２と、回転軸３０ａから第二の距離Ｌ2よりも長い第三の距離Ｌ3をおいて形成された第三周面部３３と、を有している。筒状部３０は、ナイロン等の剛性を有する合成樹脂材料で構成することができる。
【００２６】
第一周面部３１、第二周面部３２及び第三周面部３３は、図６及び図７に示すようにいずれも平坦面を有しており、第二周面部３２は第一周面部３１と連続し、第三周面部３３は第二周面部３２と連続している。第一周面部３１及び第二周面部３２は、所定の角度をなす角部３４を形成するように連接されており、第二周面部３２及び第三周面部３３は、所定の角度をなす角部３５を形成するように連接されている。
【００２７】
上方部２１と第一周面部３１との間に形成される第一間隙Ｇ1（図７参照）は、天板１１０の厚さよりも大きくなるように設定されている。これにより、図７に示すように筒状部３０の第一周面部３１を上方部２１側に向けた状態にすると、上方部２１の下面と筒状部３０の第一周面部３１の間に、天板１１０の縁部付近を若干の間隙をあけた状態で差し込むことができるようになっている。
【００２８】
一方、上方部２１と第二周面部３２との間に形成される第二間隙Ｇ2（図８及び図９参照）は、第一間隙Ｇ1よりも狭く、天板１１０の厚さよりも若干小さくなるように設定されている。これにより、図９に示すように筒状部３０の第二周面部３２を上方部２１側に向けた状態にすると、上方部２１の下面と筒状部３０の第二周面部３２とによって、天板１１０の縁部付近を挟持することができるようになっている。なお、上方部２１の下面や筒状部３０の周面部に若干の変形を許容する材料（例えばゴムシート等）を取り付けておき、挟持の際にその材料を若干変形させることができる。
【００２９】
さらに、上方部２１と第三周面部３３との間に形成される第三間隙Ｇ3（図６参照）は、第二間隙Ｇ2よりもさらに狭く、天板１１０よりも薄手の天板の厚さと略同一になるように設定されている。これにより、図６に示すように筒状部３０の第三周面部３３を上方部２１側に向けた状態にすると、上方部２１の下面と筒状部３０の第三周面部３３とによって、天板１１０よりも薄手の天板の縁部付近を挟持することができるようになっている。
【００３０】
上方部２１及び下方部２２で天板１１０（図８参照）の縁部付近を上下から挟んだときに、上方部２１は、天板１１０の縁部側から内部側へと向かう第一の方向（図８におけるＸ軸方向）に沿って所定長延在するように構成され、筒状部３０の第一〜第三周面部３１〜３３及び回転軸３０ａは、第一の方向に直交する第二の方向（図２〜図７におけるＹ軸方向）に沿って所定長延在するように構成されている。なお、第二の方向は、第一の方向に対して必ずしも直交していなくてもよい。
【００３１】
筒状部３０には、ユーザによって把持される把持部４０が取り付けられている。本実施形態においては、図６及び図７に示すように、筒状部３０の第一周面部３１に対して回転軸３０ａを挟んで対向する周面部に、略円筒状の把持部４０を取り付けている。なお、把持部４０の形状や取付位置はこれに限られるものではなく、ユーザによって把持されて筒状部３０を回転させることができる形状や取付位置であればよい。
【００３２】
次に、図６〜図９を用いて、本実施形態に係るスクリーン装置１をテーブル１００の天板１１０に取り付ける方法について説明する。
【００３３】
まず、ユーザは、図８に示すように、スクリーン装置１のパネル１０をテーブル１００の天板１１０の上方に配置するとともに、スクリーン装置１の取付具２０を天板１１０の縁部に近づけ、取付具２０の上方部２１と下方部２２によって天板１１０の縁部付近を上下から挟むようにする。この際、図７に示すように、取付具２０の筒状部３０の第一周面部３１を、上方部２１側に向けた状態にしておくことにより、上方部２１と筒状部３０との間に形成される間隙を、最大の第一間隙Ｇ1に設定しておく。
【００３４】
次いで、ユーザは、取付具２０の把持部４０を把持して回転軸３０ａを中心に筒状部３０を回転させることにより、図９に示すように筒状部３０の第二周面部３２を天板１１０の下面に当接させて、天板１１０の縁部付近を上方部２１と第二周面部３２とにより上下から挟持する。これにより、取付具２０を天板１１０に固定することができ、取付具２０に取り付けられたパネル１０を天板１１０に対して固定することができる。
【００３５】
以上説明した実施形態に係るスクリーン装置１においては、取付具２０の上方部２１を天板１１０の縁部付近の上面に当接させる一方、取付具２０の下方部２２の天板内部側の端部２２ａに取り付けられた筒状部３０の第一周面部３１を天板１１０の縁部付近の下面に対向させた状態（すなわち上方部２１と第一周面部３１とによって天板１１０の縁部付近を上下から挟んだ状態）で、ユーザが把持部４０を把持して回転軸３０ａを中心に筒状部３０を回転させることにより、第二周面部３２を天板１１０の下面に当接させて、天板１１０の縁部付近を上方部２１と第二周面部３２とにより上下から挟持することができる。よって、ユーザによるきわめて簡易な操作（把持部４０を用いた筒状部３０の回転操作）により、取付具２０で天板１１０の縁部付近を上下から挟持することができ、取付具２０に取り付けられたパネル１０を天板１１０に対して固定することができる。また、本スクリーン装置１は、パネル１０と取付具２０とが予め一体化されているため、複数の部品（例えばボルト、ナット、取付金具等）を別々に管理する必要がなく、保管や運搬が容易となるという利点もある。
【００３６】
また、以上説明した実施形態に係るスクリーン装置１においては、筒状部３０の第一周面部３１及び第二周面部３２がともに平坦面を有しており、これら周面部３１・３２が所定の角度をなす角部３４を形成するように連接されている。このため、筒状部３０の回転により、天板１１０の下面に第一周面部３１が接触する状態から、天板１１０の下面に第二周面部３２が接触する状態に切り替わったことを、手触り（クリック感）で容易に認識することができる。
【００３７】
また、以上説明した実施形態に係るスクリーン装置１においては、取付具２０の上方部２１及び下方部２２で天板１１０の縁部付近を上下から挟んだときに、上方部２１は、天板１１０の縁部側から内部側へと向かう第一の方向（図８におけるＸ軸方向）に沿って所定長延在するように構成されるため、パネル１０の縦揺れ（図２〜図７におけるＹ軸周りの回動）を抑制することができる。また、取付具２０の上方部２１及び下方部２２で天板１１０の縁部付近を上下から挟んだときに、筒状部３０の第二周面部３２及び回転軸３０ａは、第一の方向に直交する第二の方向（図２〜図７におけるＹ軸方向）に沿って所定長延在するように構成されるため、パネル１０の横揺れ（図８におけるＸ軸周りの回動）を抑制することができる。
【００３８】
また、以上説明した実施形態に係るスクリーン装置１においては、取付具２０の上方部２１及び下方部２２を一体的に連接しているため、上方部２１及び下方部２２を別々に調製して接続する必要がない。
【００３９】
なお、以上の実施形態における取付具２０においては、側面視略コ字状の部材をパネル１０の辺１０ａに取り付け、この部材の相互に平行に延在する二つの部分を上方部２１及び下方部２２とした例を示したが、取付具２０の上方部２１に相当する部分を省くこともできる。
【００４０】
例えば、パネル１０の辺１０ａに、例えば図７に示すような側面視略Ｌ字状の部材を取り付け、この部材のうちパネル１０の辺１０ａに平行な部分（辺１０ａに対して所定間隔をおいて配置される部分）２２をアーム部とし、パネル１０の辺１０ａとアーム部２２とで天板１１０の縁部付近を上下から挟んだときに、アーム部２２が天板１１０の縁部側から内部側へと向かう第一の方向（図８におけるＸ軸方向）に所定長延在するようにし、アーム部２２の天板内部側の端部に、本実施形態で示した筒状部３０を取り付けることができる。かかる場合には、パネル１０の辺１０ａが上方部として機能することとなる。
【００４１】
かかる構成を採用すると、パネル１０の辺１０ａと筒状部３０の第一周面部３１とによって天板１１０の縁部付近を上下から挟んだ状態で、ユーザが把持部４０を把持して回転軸３０ａを中心に筒状部３０を回転させることにより、第二周面部３２を天板１１０の下面に当接させて、天板１１０の縁部付近をパネル１０の辺１０ａと第二周面部３２とにより上下から挟持することができる。
【００４２】
また、以上の実施形態においては、回転軸３０ａからの距離が三段階に変化する三つの周面部（第一周面部３１、第二周面部３２、第三周面部３３）を有する筒状部３０を採用した例を示したが、筒状部３０の構成はこれに限られるものではない。例えば、回転軸３０ａからの距離が四段階以上に変化する四つ以上の周面部を有する筒状部を採用したり、回転軸３０ａからの距離が連続的に変化する周面部を有する筒状部を採用したりすることもできる。
【００４３】
本発明は、以上の実施形態に限定されるものではなく、この実施形態に当業者が適宜設計変更を加えたものも、本発明の特徴を備えている限り、本発明の範囲に包含される。すなわち、前記実施形態が備える各要素及びその配置、材料、条件、形状、サイズ等は、例示したものに限定されるわけではなく適宜変更することができる。また、前記実施形態が備える各要素は、技術的に可能な限りにおいて組み合わせることができ、これらを組み合わせたものも本発明の特徴を含む限り本発明の範囲に包含される。
【符号の説明】
【００４４】
１…スクリーン装置
１０…パネル
１０ａ…（天板の上面に平行に延在する）辺
２０…取付具
２１…上方部
２２…下方部（アーム部）
２２ａ…（天板内部側の）端部
３０…筒状部
３０ａ…回転軸
３１…第一周面部
３２…第二周面部
３４…角部
４０…把持部
１００…テーブル（家具）
１１０…天板
【図１】
2019083891.tif 000003
【図２】
2019083891.tif 000004
【図３】
2019083891.tif 000005
【図４】
2019083891.tif 000006
【図５】
2019083891.tif 000007
【図６】
2019083891.tif 000008
【図７】
2019083891.tif 000009
【図８】
2019083891.tif 000010
【図９】
2019083891.tif 000011